Podtech/llm-jp-corpus-v4-ja_patent huggingface dataset:
(57)【要約】      （修正有）【課題】取付ける車椅子の構造を選ばず、車椅子利用者の全身を雨から守り、容易に着脱しかつ携行が可能な雨具を提供する。【解決手段】樹脂又は金属による骨組５と日除け及び簡易的な防水を目的とした布部からなる日除け本体８を、車椅子本体に予め取付けた骨組支持部品４に挿入、固定後、日除け本体頭頂部にある折畳み部品７を定位置に固定することによりドーム状の空間を形成し日差し及び少量の降雨から利用者を守る。また本格的な降雨に対しては、日除け本体の上から視界確保を目的とした透明度と防水性を併せ持つ素材からなる雨具本体９を覆い被せ利用者の体全体を覆う。【選択図】図１
0003149914.tif 000002
【実用新案登録請求の範囲】
【請求項１】
樹脂又は金属による骨組部と日除け及び簡易的な防水を目的とした布部とからなる日除け本体を、車椅子本体に取付けられた骨組支持部品に脱着することが可能な車椅子用雨具兼日除け。
【請求項２】
骨組頭頂部に設けられた折畳み部品により、車椅子本体から取り外した日除け本体の骨組みを折畳むことが可能なことを特徴とする請求項１記載の車椅子用雨具兼日除け。
【請求項３】
車椅子本体に取付けた日除け本体の上から、視界確保を目的とした透明度と防水性を併せ持つ素材からなるフード状の雨具を覆い被せることにより、風雨及び寒さを防ぐことが可能なことを特徴とする請求工１記載の車椅子用雨具兼日除け
【考案の詳細な説明】
【技術分野】
【０００１】本考案は車椅子利用者が外出の際、風雨を防ぐ雨具兼日除けに関する。
【背景技術】
【０００２】従来、車椅子の雨具としては多くの実用新案、特許が登録されているものの、製品化され車椅子利用者の元へ届くものはきはめて少なかった。既存の雨具としては雨合羽が主流であり、その他として通常の傘を保持し雨を防ぐもの、車椅子の背部フレームに支柱を固定しその上に屋根状の覆いを枢着するものなどがある。（特許文献１参照）【０００３】
【特許文献１】特開２００４−６５８９５号公報
【考案の開示】
【考案が解決しようとする課題】
【０００４】従来の雨合羽は体に密着し、暑さ、寒さなどの不快感を多く感じるだけではなく、顔面や手先など雨合羽で覆うことが出来ない部分が濡れる等の不都合があった。また車椅子利用者の中には身体に重度の障碍を持つ者もおり、急な降雨の際、介助者がいたとしても雨合羽を迅速に着用させることが困難であったり、商店などに入る際、脱ぐのが不便な場合もあった。
通常の傘を保持し雨を防ぐものや、屋根状の覆いは、頭部及び上半身の一部を雨から守ることは出来ても、全身が濡れることを防ぐことは出来なかった。【０００５】本考案はこのような従来の雨具が持つ問題を解決しようとするもので、取付ける車椅子の構造を選ばず、車椅子利用者の全身を雨から守り、容易に着脱しかつ携行が可能な雨具を提供することを目的とする。
【課題を解決するための手段】
【０００６】本考案は以上の点を解決するために以下の構成を採用する。
〈構成１〉樹脂又は金属による骨組部を、簡易的な防水が可能な布により覆い、車椅子本体に予め取付けた骨組支持部品に骨組み部末端を挿入、固定し、頭頂部にある折畳み部品を定位置に固定することによりドーム状の空間を形成し、車椅子利用者を日差し及び少量の降雨から守る構造を特徴とした車椅子用雨具兼日除け。【０００７】〈構成２〉構成１に記載の日除け本体の上から、視界確保を目的とした透明度と防水性を併せ持つ素材からなるフード状の雨具本体を覆い被せ骨組み支持部品に固定することにより、車椅子利用者の全身を覆い風雨及び寒さから守ることを特徴とする車椅子用雨具兼日除け【０００８】〈構成３〉構成２に記載の雨具本体の前面にはファスナーによる出入口が設けてあり、雨具本体を取付けたままでも車椅子利用者が出入りできる構造を特徴とする車椅子用雨具兼日除け【００１１】〈構成６〉構成１に記載の車椅子用雨具兼日除けにおいて、日除け本体の折畳み部品を開放し骨組み支持部品から取り外すことにより容易に折りたたむことが出来、車椅子背面部に携行用ホルダーを装着すれば降雨に備え日除け本体、雨具本体ともに携行することも可能なことを特徴とする車椅子用雨具兼日除け。
【考案の効果】
【００１２】本考案の車椅子用雨具兼日除けを利用することにより、既存の雨具では不可能であった利用者の全身を風雨から保護することが可能になる。また、構造の簡潔さから様々な車椅子の構造に対応することが可能である。加えて日除け本体及び雨具本体の着脱が容易でありかつ軽量であることから常時携行することが可能になり、急な降雨や商店、交通機関等への持込などにも対応し、今までなにかと制限を受けていた降雨時の車椅子利用者の外出が、平易かつ快適なものになりうる。また雨具本体は雨具としてだけではなく防寒具としての効果も兼ね備える。
【実施例】以下本考案の具体的実施例について、図面に沿って詳述する。【００１３】車椅子１の背あてフレーム２および足置きフレーム３の任意の位置に骨組支持部品４を固定する。【００１４】日よけ本体８の骨組み部末端６を骨組支持部品４に挿入し、内蔵されたストッパーによって骨組支持部品５に固定する。【００１５】折畳み部品７を定位置にで固定する。この状態で日除け及び少量の降雨に対する雨具として使用可能となる。【００１６】雨具本体９を日除け本体の上から覆い被せ、固定バンド１０で骨組み支持部品５及び背あてフレーム２に固定する。
【図面の簡単な説明】
【図１】本考案車椅子用雨具兼日除け本体（骨組部、日除け本体）の使用状態の斜視図である。
【図２】本考案車椅子用雨具兼日除け本体（雨具本体）の使用状態の斜視図である。
【図３】本考案車椅子用雨具兼日除け骨組み部折りたたみ部品の斜視図である。
【符号の説明】
１    車椅子
２    背あてフレーム
３    足置きフレーム
４    骨組支持部品
５    骨組
６    骨組み部末端
７    折畳み部品
８    日除け本体
９    雨具本体
１０  固定バンド
１１  前部扉
１２  ファスナー
【図１】
0003149914.tif 000003
【図２】
0003149914.tif 000004
【図３】
0003149914.tif 000005
【手続補正書】
【提出日】平成21年1月23日(2009.1.23)
【手続補正１】
【補正対象書類名】実用新案登録請求の範囲
【補正対象項目名】請求項３
【補正方法】変更
【補正の内容】
【請求項３】
車椅子本体に取付けた日除け本体の上から、視界確保を目的とした透明度と防水性を併せ持つ素材からなるフード状の雨具を覆い被せることにより、風雨及び寒さを防ぐことが可能なことを特徴とする請求項１記載の車椅子用雨具兼日除け
(57)【要約】【課題】ドラムが回転し、かつ走行する車両に搭載されているという過酷な条件下で使用されるミキサー車における効果的な冷却装置を提案するものである。【解決手段】油圧モーター等で駆動される圧縮器と、同圧縮器で圧縮された空気を冷却する熱交換器と、同熱交換器で冷却された空気を膨張させる膨張機と、同膨張器で膨張し低温となった空気をミキサー車の回転ドラム内に送給することのできる中空構造の回転ドラム支持シャフトを具え、送級先端部が下向きに開口することを特徴とするミキサー車ドラムの冷却装置。【選択図】図1
0003149917.tif 000002
【実用新案登録請求の範囲】
【請求項１】
油圧モーター等で駆動される圧縮器と、同圧縮器で圧縮された空気を冷却する熱交換器と、同熱交換器で冷却された空気を膨張させる膨張機と、同膨張器で膨張し低温となった空気をミキサー車の回転ドラム内に送給することのできる中空構造の回転ドラム支持シャフトを具え、送級先端部が下向きに開口することを特徴とするミキサー車ドラムの冷却装置。
【考案の詳細な説明】
【技術分野】
【０００１】
本考案は、車両架装が容易なミキサー車ドラム冷却装置に関するものである。
【背景技術】
【０００２】
生コンクリートは、材料の混和時点から硬化が始まるため、一定の粘度、品質を保持しての運搬時間に制約があり、その範囲内でミキサー車による流通が行われている。また、建設工事現場等で荷降ろしされた後も、コンクリートの強度を維持するために、硬化にともなう発熱を冷却し温度管理する必要があるため、温度及び粘度が低い生コンクリートが要求されている。生コンクリートは冷却することにより、硬化を抑制することができ、品質維持時間の延長が可能になる。
【０００３】
しかし、夏季等の気温上昇時には生コンクリート自体の発熱と、日射や周囲温度による加熱により品質の劣化を招いている。また、生コンクリート製造プラント閉鎖による近隣プラントからの運搬も困難である。近年、建設業界の品質管理要求が高まり、生コンクリート荷降ろし時の粘度検査により硬化が進行した生コンクリートの受入拒否も発生している。
【０００４】
近年、消費現場の要求に応じ、夏季に日射を避けるために回転ドラムを日除けシートで覆う方法や、ドラム自体に断熱シートを貼る方法がとられているが、加熱を和らげる程度の消極的な方法であり、十分な効果が得られていない。
【０００５】
この改善策として、回転ドラムが浸る大型水槽に氷水等を入れた冷却装置や、断熱箱内に回転ドラムを収納し、通常の冷凍サイクル装置を利用して冷却する方法（特許文献１）も考案されているが、対象が走行する車両であること、ドラム自体が回転すること、作業現場で使用される等、苛酷な条件に対応できず実用に至っていない。
【特許文献１】特開２００７−２５３４９号公報
【考案の開示】
【考案が解決しようとする課題】
【０００６】
解決しようとする課題は、ドラムが回転し、かつ走行する車両に搭載されているという過酷な条件下で使用されるミキサー車における効果的な冷却装置を提案するものである。
【課題を解決するための手段】
【０００７】
本考案は、油圧モーター等で駆動される圧縮器と、同圧縮器で圧縮された空気を冷却する熱交換器と、同熱交換器で冷却された空気を膨張させる膨張機と、同膨張器で膨張し低温となった空気をミキサー車の回転ドラム内に送給することのできる中空構造の回転ドラム支持シャフトを具え、送級先端部が下向きに開口することを特徴とする。
【考案の効果】
【０００８】
本考案の装置は、基本構造が簡易で小型、軽量であるために、車両への取付け位置に選択の範囲が広く、混和材料の積み込み及び生コンクリート荷降ろし等の障害とならず、架装できる。また、従来の冷凍サイクル装置のような専門的な保守を必要としない利点がある。
【０００９】
さらに、生コンクリートの品質維持時間を延長できることで、閉鎖されたプラントエリアへの近隣プラントからの供給や、プラントの集約合理化等にも寄与できる。
【００１０】
本考案装置は、冷却を必要とする水槽を搭載する活魚運搬車や、冷凍装置を持たないコンテナ車等の冷却にも応用可能である。
【考案を実施するための最良の形態】
【００１１】
基本的な動力源は油圧もしくは、直流電源である。これは、従来その車両が装備しているものであり、従って新たな動力源を必要としない。
【００１２】
ドラム冷却に必要な低温度空気を、ドラム回転支持シャフトの中空構造とした穴からドラム内に吹込むようにすることで、混和材料の投入や排出の障害にならず架装できる。
【００１３】
圧縮し温度上昇した空気を冷却する熱交換器の構造を  水冷式または空冷式とすることで、条件にあわせて装置構造を小型化できる。
【００１４】
図１は、本考案装置の一実施例を示す空気冷凍サイクル図である。また、2は油圧モーター等の基本動力で駆動される圧縮機であり、3は圧縮機1で圧縮された空気を冷却する熱交換器であり、4は同熱交換器3で冷却された空気を膨張させるタービン4と同軸で駆動され、それにより外気を取入れ圧縮するタービン5であり、取り入れられる外気は熱交換器3を通過させることで圧縮機2で圧縮された空気の熱交換に供する。6はミキサー車の回転ドラムのシャフト部で中空構造となっている。膨張用タービン4から送給される低温度空気を中空部構造6へ導きドラム8内部を冷却する。7はドラム8の空気吹出し部で、ドラム8の投入開口部方向へ空気が直進することを防ぎ、攪拌される生コンクリートで閉塞されないために下方を向けている。図1中の矢印は、利用される空気の流れ方向を示す。
【００１５】
図２は、本考案装置の車両架装の図である。圧縮機2と膨張タービン4と、圧縮タービン5は一つの箱10に収納し小型化して架装する。熱交換器2は空冷式の場合を示し、各部品はホース9で接続されている。箱10とドラム回転支持シャフトの中空構造部6の間もパイプもしくはホースで接続される。
【図面の簡単な説明】
【００１６】
【図１】図1は、本考案装置の実施例を示す空気冷凍サイクル図。
【図２】図2は、本考案装置のミキサー車車載斜視図。
【符号の説明】
【００１７】
１                  油圧モーターまたは直流電気モーター
２                  圧縮機
３                  熱交換器
４                  膨張タービン
５                  圧縮タービン
６                  中空シャフト部
７                  空気吹出し部
８                  回転ドラム
９                  ホースまたはパイプ
１０                  箱
１１                  ミキサー車
【図１】
0003149917.tif 000003
【図２】
0003149917.tif 000004
(57)【要約】      （修正有）【課題】マンション、アパート、における不法侵入者の侵入防止を図ることができるドア開閉装置を提供する。【解決手段】マンション、アパートのドア２付近に静脈圧センサー１を設置し、該静脈圧センサーにて、本人確認をしてから、ドアのロックを解除し、手動にてドアの開閉をおこなう。【選択図】図１
0003149911.tif 000002
【実用新案登録請求の範囲】
【請求項１】
マンション又は、アパートのドアの開閉における静脈圧センサーを使用して、本人の確認を行い不審者の侵入を防ぐ目的の装置。
【考案の詳細な説明】
【技術分野】
【０００１】本考案は、静脈圧センサーを用いてドアの開閉時の本人確認をする装置である。
【背景技術】
【０００２】マンション、アパートの不審者侵入防止のため、ドアの開閉時の本人確認を行う。
【考案の開示】
【考案が解決しょうとする課題】
【０００３】マンション、アパートにおいて、不審者の侵入防止。
【課題を解決する為の手段】
【０００４】本考案は、マンションやアパートの出入り口に静脈圧センサーを設置ドアの開閉を行い、不審者の侵入を防止する。
【考案の効果】
【０００５】本考案は、不審者の侵入防止。
【考案の実施するための最良の形態】
【０００６】本考案の実施にあたり、入居決定時に静脈圧センサーに対する、指の登録をする必要がある。
【実施例】
【０００７】マンション、アパートのドアの開閉時に静脈圧センサーにて本人確認をして、ドアの開閉を行う。
【図面の簡単な説明】
【０００８】
【図１】  本考案の静脈圧センサー及び、ドアの正面図である。
【符号の説明】
【０００９】１    静脈圧センサー
２    ドア
【図１】
0003149911.tif 000003
【手続補正書】
【提出日】平成20年10月8日(2008.10.8)
【手続補正１】
【補正対象書類名】実用新案登録請求の範囲
【補正対象項目名】全文
【補正方法】変更
【補正の内容】
【実用新案登録請求の範囲】
【請求項１】
マンション又は、アパートのドアの開閉における静脈圧センサーを使用して、本人の確認を行い不審者の侵入を防ぐ目的の装置。
形状としては、銀行で使用されているＡＴＭの静脈圧センサー、縦７〜１０センチ、５〜６センチの物を使用する。
構造的には、本人確認時には、青ランプにて表示、本人の確認がとれない場合は、赤ランプにて表示する。
【手続補正書】
【提出日】平成20年12月20日(2008.12.20)
【手続補正１】
【補正対象書類名】実用新案登録請求の範囲
【補正対象項目名】全文
【補正方法】変更
【補正の内容】
【実用新案登録請求の範囲】
【請求項１】
マンション又は、アパートのドアに静脈圧センサーを設けた静脈圧センサーのドア開閉装置
(57)【要約】      （修正有）【課題】組み立てが簡単で、組立て後の形状を自由に創作できるように構成されたピース同士を、ピース間を接続するカプラーで繋いで出来る角軸ピースパズルを提供する。【解決手段】ピースパズル用のピース１は、角型１ａ又は丸型１ｂとし、上半分２と下半分３を重ねて使用する。上半分２の内面中心部に、３〜５ミリの角凸軸４を、下半分３の内面中心部に角凹軸５を固着する。角凹軸５は、角凸軸４を密着して差し込める大きさの角穴６を持つ。ピース１同士を、カプラーで連結する。カプラーは、角窓を二つをめがね形に形成してなる。カプラーの角窓は、ピース１二つを密着させた状態のとき、双方の角凹軸５を抱える間隔に角窓を保持する。【選択図】図１
0003149919.tif 000002
【実用新案登録請求の範囲】
【請求項１】
凸軸を内面中心部に固着する上半分と、凸軸を差し込む凹軸を固着する下半分とを重ねて成るピースと、凹軸の嵌まる角窓をめがね形に保持したカプラーで繋いで成る角軸ピースパズル。
【考案の詳細な説明】
【技術分野】
【０００１】  ゲーム具に属する。
【背景技術】
【０００２】  従来よりブロックパズルはあった。
【考案の開示】
【考案が解決しようとする課題】
【０００３】  従来のパズルは、自分で創作するものが少なかった。
【課題を解決するための手段】
【０００４】  本考案は、ピース同士をカプラーで繋いで出来るピースパズルである。
【考案の効果】
【０００５】  組み立てが簡単で、自由に創作できる。【０００６】  創作パズルを提供することによって新たな快感を味わうことが出来る。【０００７】  ピース同士をカプラーで繋いだとき、繋ぎ目が露出しないことが本考案の最大の特徴である。【０００８】  脳を活性化させ、リハビリにも有効である。
【考案を実施するための最良の形態】
【０００９】  二枚重ねて成るピース同士を、カプラーで繋いだ創作ピースパズルである。
【実施例】
【００１０】  ピース１（角形１ａ・丸形１ｂ）は、上・下二枚重ねて成る。【００１１】  上半分２の内面中心部に、３〜５ミリの角凸軸４を、下半分３の内面中心部に角凹軸５を固着する。【００１２】  角凹軸５は、角凸軸４を密着して差し込める大きさの角穴６を持つ。【００１３】  ピース１同士を、カプラー７で連結させる。【００１４】  カプラー７は、角窓８を二つをめがね形に保持している。【００１５】  カプラー７の角窓８は、ピース１二つを密着させた状態のとき、双方の角凹軸５を抱える間隔に角窓８を保持する。【００１６】  ブロック片９は、創作例・魚１０を構成するピース１の内、カプラー７による連結を外して作る。    （図５参照）【００１７】  パズルは、魚１０を模るブロック片の組み立てを一旦崩して、再びこれを復元させるものである。
【産業上の利用可能性】
【００１８】  製作が容易である。
【図面の簡単な説明】
【００１９】
【図１】本考案、ピース内面の斜視図
【図２】本考案、ピースの側面図
【図３】本考案、カプラーの平面図
【図４】本考案、ピースをカプラーで連結したブロック片の内面図
【図５】本考案、創作例・魚のブロック片を示す平面図
【符号の説明】
【００２０】  １ピース
２上半分
３下半分
４角凸軸
５角凹軸
６角穴
７カプラー
８角窓
９ブロック片
１０創作例・魚
【図１】
0003149919.tif 000003
【図２】
0003149919.tif 000004
【図３】
0003149919.tif 000005
【図４】
0003149919.tif 000006
【図５】
0003149919.tif 000007
【手続補正書】
【提出日】平成21年1月20日(2009.1.20)
【手続補正１】
【補正対象書類名】実用新案登録請求の範囲
【補正対象項目名】全文
【補正方法】変更
【補正の内容】
【実用新案登録請求の範囲】
【請求項１】
凸軸を内面中心部に固着する上半分と、凸軸を差し込む凹軸を固着する下半分とを重ねて成るピース同士を、凹軸の嵌まる角窓をめがね形に保持したカプラーで繋いで成る角軸ピースパズル。
(57)【要約】      （修正有）【課題】アルミニウムの熱伝導率の高さを利用できるアルミ建材を提供する。【解決手段】アルミ押し出し成型材の押し出す際に使用する型の形状を変えることでいろいろな断面形状にすることができることを利用して、アルミ押し出し成形材に幾つかの筒形状の空間を太陽光線の当たる付近に設け、筒内部に熱媒体を循環させ、温められた熱媒体を使って給湯システムなどに利用する。【選択図】図１
0003149913.tif 000002
【実用新案登録請求の範囲】
【請求項１】
アルミ押し出し成型材に筒状の断面形状を幾つか設け、その筒の中に熱媒体（不凍液）を通す形状を持たせた型材。
【考案の詳細な説明】
【技術分野】
【０００１】  本考案は、筒状の断面形状を設けたアルミ押し出し成型材を集熱板として利用する太陽熱集熱用建材に関するものである。
【背景技術】
【０００２】アルミ建材は、土木、建築共に広く使われているが、最大の特徴である熱伝導率に優れている事は軽視されている。
【考案の開示】
【考案が解決しようとする課題】
【０００３】本考案はアルミの特徴である熱伝導率の高さを利用できる建材を作る事を課題とする。
【課題を解決するための手段】
【０００４】現在、建材として一般的に使われているアルミ押し出し成型材は、押し出す際に使われる金型を変えることによって、色々な断面形状にすることができる。その断面に幾つか筒形状を設け、中に熱媒体（不凍液）を流し外壁や屋根に取り付け、太陽熱を集め、熱せられた熱媒体を使って、温水器などに利用することにより解決している。
【考案の効果】
【０００５】本考案は、消費者の景観へのこだわりと、光熱費を抑えたいという要求に答え、また地球温暖化対策としても役立つ。
【考案を実施するための最良の形態】
【０００６】幾筋かの筒状の断面を設けたアルミ押し出し成型材を取り付け場所に合わせた長さで切断し、日よけルーバーのように幾段かに配列し、下地枠等に固定。断面には筒形状が設けられているので、アルミ管又は銅管により押し出し成型材の筒同士を繋ぎ、並べられた押し出し成型材の筒が一本の筒になるようにする。又筒の両端部を銅管で繋ぎ循環形態を作り、筒内部に熱媒体を充填し循環させる。循環させる機能又熱媒体に蓄えられた熱を水に移し、お湯にする機能は既に存在するシステムを利用する。
【実施例】
【０００７】以下、添付図面に従って一実例を説明する。１のアルミ押し出し成型材は多様な断面形状を作ることができ、図１の断面形状は一例であるが、太陽光線の当たる付近に筒形状２を設け、その中を熱媒体を循環させ、太腸熱を吸収させる。４の取り付けボルトを１のアルミ押し出し成型材に設けられた、ボルトスライドレールに通し、３の下地に穴を明けナットで締め付けて固定する。【０００８】１のアルミ押し出し成型材の筒同士の繋ぎは、アルミ若しくは銅の管５で全体が一本の管となるように繋ぎ、両端部は銅管６に繋ぎ循環形態を作る。管の中に熱媒体を充填し、途中に循環用ポンプ８を儲け循環させ、７の給湯ボイラの中で蓄えられた熱を放出させる。【０００９】熱媒体の循環経路の接続はアルミ押し出し成型材を筒状にしてあるので、筒の内側にタップ処理を施し、中空ボルトを締め付け、５の管を接続する。
【図面の簡単な説明】
【００１０】
【図１】集熱型アルミ押し出し成型材の基本断面及び下地取り合い断面図
【図２】給湯システム略図
【図３】集熱型押し出し成型材筒形状部断面詳細図
【符号の説明】
【００１１】１集熱型アルミ押し出し成型材
２筒状熱媒体循環経路
３下地鉄骨
４取り付け用ボルト・ナット
５循環経路接続管
６給湯用ボイラ
７熱媒体循環ポンプ
８接続用中空ボルト
【図１】
0003149913.tif 000003
【図２】
0003149913.tif 000004
【図３】
0003149913.tif 000005
【手続補正書】
【提出日】平成21年1月20日(2009.1.20)
【手続補正１】
【補正対象書類名】実用新案登録請求の範囲
【補正対象項目名】全文
【補正方法】変更
【補正の内容】
【実用新案登録請求の範囲】
【請求項１】
アルミ押し出し成型材に、熱媒体を通すための筒状の空間を幾つか設けたことを特徴とする型材
(57)【要約】      （修正有）【課題】鼻や耳の穴の毛を特別な鏡等がなくても、誰でも安全に切ることができる鋏を提供する。【解決手段】鋏の先端部などのエッジ７，９等を丸く成形し、鼻や耳の穴の内部を傷つけることがないようにし、かつ、鋏を開閉してもストッパー鋲１７が溝１８で開く角度を規制して先端部５と６が離れないので先端部で切ったり傷つけたりすることも無いようにする。なお、この開閉を規制するためにはハンドルの形状を工夫したり他の器具を使用しても可能である。さらに、刃体１に穴部２を設け、刃体１，３の開閉によって穴部２に入った毛だけが穴部２のエッジと刃体３の刃部分１９によって切断されるように構成する。【選択図】図１
0003149935.tif 000002
【実用新案登録請求の範囲】
【請求項１】
刃部を有する一対の鋏片を軸により開閉可能に支持してなる鋏おいて、刃部の先端近くに穴部２を設けた刃体１と切断用の刃を有した刃体３とを１組とする鋏
【請求項２】
ストッパー用の鋲１７と溝１８でもって刃体１と刃体３の先端部５と６が離れるところまで開かないよう規制した請求項１に記載の鋏
【請求項３】
刃のエッジ７，８，９，１０，１１，１２，１３，１４，１５，１６を丸くした請求項１または請求項２に記載の鋏
【考案の詳細な説明】
【技術分野】
【０００１】
この考案は、鼻の毛や耳の毛などを切断する鋏に関するものである。
【背景技術】
【０００２】
従来からある鼻毛を切る鋏は、先端部で肉部分を切ったり、たとえ先端を丸くしておいても端の部分で傷つけたりしまいますので十分注意して使用しなければならない欠点があった。
【考案の概要】
【考案が解決しようとする課題】
【０００３】
上記のような欠点を解決する為には先端が当たっても傷つかず、また先端部で肉を挟まない様な形状の鋏を作ることが必要である。
【課題を解決するための手段】
【０００４】
この考案は上記の問題点を解決するために、先端部を丸くして傷をつけず、切る部分は穴部２だけにすることで解決するものである。
【考案の効果】
【０００５】
鼻の穴や耳の穴を傷つけず使用できるので、特別鏡など無くても全ての人に安全に使用していただける鋏である。
【考案を実施するための形態】
【０００６】
鼻の穴や耳の穴に鋏の先端部を入れても７，８，９，１０，１１，１２，１３，１４，１５，１６丸いので皮膚に傷ができることはない。また鋏を開閉してもストッパー鋲１７が溝１８で開く角度を規制して先端部５と６が離れないので先端部で切ったり傷つけたりすることも無い。なお、この開閉を規制するためにはハンドルの形状を工夫したり他の器具を使用しても可能である。そして開閉によって穴部２に入った毛だけが穴部２のエッジ２０と刃体３の刃部分１９によって毛を切断することができる。
【図面の簡単な説明】
【０００７】
【図１】安全な鋏を開いたところを示す正面図
【図２】安全な鋏を閉じたところを示す正面図
【図３】安全な鋏を閉じたところの左側面図
【図４】Ｍ−Ｎの断面拡大図
【図５】刃体1のみの正面図
【図６】刃体3のみの正面図
【符号の説明】
【０００８】
１，３  刃体
２  穴部
４  鋲
５  刃体１の先端部
６  刃体３の先端部
７，８，９、１０、１１，１２，１３，１４，１５，１６  両刃体のエッジ
１７  ストッパー鋲
１８  溝
１９  刃体３の刃部
２０  刃体１の穴部２のエッジ
【図１】
0003149935.tif 000003
【図２】
0003149935.tif 000004
【図３】
0003149935.tif 000005
【図４】
0003149935.tif 000006
【図５】
0003149935.tif 000007
【図６】
0003149935.tif 000008
【手続補正書】
【提出日】平成21年2月16日(2009.2.16)
【手続補正１】
【補正対象書類名】実用新案登録請求の範囲
【補正対象項目名】請求項１
【補正方法】変更
【補正の内容】
【請求項１】
刃部を有する一対の鋏片を軸により開閉可能に支持してなる鋏おいて、刃部の先端近くに穴部（２）を設けた刃体（１）と切断用の刃を有した刃体（３）とを１組とする鋏
【手続補正２】
【補正対象書類名】実用新案登録請求の範囲
【補正対象項目名】請求項２
【補正方法】変更
【補正の内容】
【請求項２】
鋏に開閉を規制するストッパーの鋲（１７）と溝（１８）を持ち、鋏の先端部分（５）と（６）が開いてしまわない請求項１に記載の鋏
【手続補正３】
【補正対象書類名】実用新案登録請求の範囲
【補正対象項目名】請求項３
【補正方法】変更
【補正の内容】
【請求項３】
鋏の先端部分に関わる全てのエッジ（７，８，９，１０，１１，１２，１３，１４，１５，１６）を丸くした請求項１または請求項２に記載の鋏
(57)【要約】      （修正有）【課題】アマチュア音楽家等に音楽録音をする上で、安価で容易に設置できる録音空間を作成できる吸音パネルを提供する。【解決手段】前面及び両横に吸音材を貼り付けたパネルを設置し、接合部分に柔らかい素材を使用して各々の角度の自在性を持たせる。また、柔軟な素材を使用することにより、使用しないときは３つ折にたたんでコンパクトに収納できる。折りたたみの際に余分な突起ができないように、パネルの足の部分は回転可能とし、収納の際の邪魔にならない工夫をした。【選択図】図１
0003149936.tif 000002
【実用新案登録請求の範囲】
【請求項１】
自宅での録音に際し、音源からの音が周囲の壁や天井に乱反射して雑音としてマイクに入る事を防止する必要がある。通常はこの対策として壁や天井に吸音材を張り付けた部屋を作り録音するが、吸音材を貼り付けた吸音パネルを使用することにより、安価で手軽な録音環境を実現するもの。
【請求項２】
吸音パネルの形状をいかにすべきかを考え、両横及び前面の３方向と上方にパネルを設置することが効果的である。今回は、上方の対策は保留し、両横及び前面の３方向に対する対策を講じたもの。特にパネルの接合部分を柔軟な構造とすることで録音空間の自在性を確保する。また、接合部分を柔軟な構造とすることにより３つ折にたたむことを可能にした。
【請求項３】
パネルの足部分は、折りたたんで容易に運搬できるように回転式とし、パネルと平行にできる構造とした。パネルの使用時には足部分を９０度回転させパネルの転倒を防ぐことができる。
【考案の詳細な説明】
【技術分野】
【０００１】
本考案は、自宅での録音に関し、安価で自在性の高い吸音設備に関するものである。
【背景技術】
【０００２】
音楽録音については、録音しようとする楽器や声の音が、雑音が入ることなく純粋な音として音源からマイクに到達することが望まれる。このため、壁や天井に吸音材を張り巡らした設備の整ったスタジオでの録音が必要とされてきた。この考案は、特にアマチュア音楽家が、自宅での録音をよりこうした環境に近づけるものである。
【０００３】
録音の際に発生する雑音は、音源から発する音が主に壁や天井から反射してくる音である。これを防ぐために吸音材を音源とマイクの外側に配置することが一つの解決策である。本考案の発想は、いかに吸音材を音源とマイクの外側に配置するかということに原点があった。
【０００４】
発想の第一は、吸音材を貼り付けたパネルを音源とマイクの両横と前面後ろ側の３つの面に配置することにより、スタジオと同様の空間を確保することであった。しかしながら、これらの平面を単純に接合した場合には、折りたたみに不都合が生ずる欠点がある。
【０００５】
この改善策として、接合部分に柔軟な材料を使用することによって3つに折りたたむことができると考案した。
【０００６】
次の問題点は、使用する時のパネルの足の部分である。折りたたむ場合には、突起が邪魔になる恐れがある。このため足の部分は平板を回転させることにより、使用時には足の部分に突起をもたせ、使用しない時には突起をなくす発想にいたった。
【考案の開示】
【考案が解決しようとする課題】
【０００７】
解決しようとする問題点の一つは、上方空間にいかに吸音材を配置するかである。狭い空間であれば、吸音材を天井部分に載せることで解決できるが、前と両横に配置したパネルから天井部分にいかにして吸音材を配置させるかが課題である。
【課題を解決するための手段】
【０００８】
解決しようとする問題点の二つ目は、パネルに使用する材料をいかにすべきかである。試作品は１８ミリメートルの木製の角材で枠を３つ作り、これにプラスチックのダンボールを貼り付け、さらに吸音材を貼り付けた。
【考案の効果】
【０００９】
計測機器等がないため、空間内部と外部との音量の差や音の周波数による特質等のデータはとれないが、体感として反射音にあきらかな効果が認められる。
【図面の簡単な説明】
【００１０】
【図１】折りたたみ式吸音パネルを使用状態にした説明図である。
【図２】折りたたみ式吸音パネルをたたんだ状態にした説明図である。
【図１】
0003149936.tif 000003
【図２】
0003149936.tif 000004
【手続補正書】
【提出日】平成21年2月12日(2009.2.12)
【手続補正１】
【補正対象書類名】実用新案登録請求の範囲
【補正対象項目名】全文
【補正方法】変更
【補正の内容】
【実用新案登録請求の範囲】
【請求項１】
録音用スタジオの壁や天井に貼り付けて使用する吸音材を、障子やふすま又はコンパネといった板状のものに貼り付け、三面鏡のような構造として前方と左右両サイドに吸音効果によるクリアな音を録音できる空間を作る折りたたみ式吸音パネル。
【請求項２】
請求項１の吸音パネルの前面及び両サイドの各平面の接合部分は、板ゴムまたは壁紙等の湾曲可能な部材を用いて３つ折にたためる折りたたみ式吸音パネル。
【請求項３】
請求項１の折りたたみ式吸音パネルを立たせるために各平面の底辺に設置する足は、平板を回転させる構造として、折りたたむ際に余分な突起が生じない折りたたみ式吸音パネル。
(57)【要約】      （修正有）【課題】缶コーヒーなどを飲むとき、缶の蓋を開けやすくした缶容器の開栓蓋を提供する。【解決手段】缶の開栓蓋の取って部分を上に折り曲げて指を入れやすくした。本開栓蓋の取っ手だと指先が入れやすく、指先にも力が入り、子供でも年寄りの方でも缶の蓋が開けやすくなる。小さな曲がりであるが、世界中で使われているものであり、多くの人の役にたつ。使用するにあたっては、通常通り指先を取っ手部分に差し込み、上に引き上げるだけで良い。【選択図】図２
0003149931.tif 000002
【実用新案登録請求の範囲】
【請求項１】
缶▲１▼の蓋▲２▼に付いている  開栓蓋▲３▼の取っ手部分▲４▼上方へ折り曲げた形状の  取っ手部分を上方に折り曲げたかん容器の開栓蓋。
【考案の詳細な説明】
【技術分野】
【０００１】本案は缶コーヒーなどを飲むとき  缶の蓋を開けやすくした考案である。
【背景技術】
【０００２】従来、の缶の開栓蓋は指先を入れる取っ手の部分が平らで  隙間が狭く指先に力がは入らなかったり  年寄りの人だと開けられなかったりすることもあった。
【考案の開示】
【考案が解決しようする課題】
【０００３】本案は  開栓蓋の取っ手部分に指先は入りやすくする為に缶の蓋と開栓蓋の取っ手部分の隙間を大きくする。
【課題を解決するための手段】
【０００４】本案は缶▲１▼の蓋▲２▼に付いている開栓蓋▲３▼の取っ手部分▲４▼を上方へ折り曲げたものである。
【考案の効果】
【０００５】本案の形状をした開栓蓋の取っ手だと  指先が入れやすく  指先にも力が入り  子供でも  年寄りの方でも缶の蓋が開けやすくなる  小さな曲がりであるが  世界中で使われているものであり  多くの人の役にたつ。
【考案を実施するための最良の形態】
【０００６】以下、添付図面に従って本案の構造を説明する、本案は缶▲１▼の蓋▲２▼に付いている  開栓蓋▲３▼の取っ手部分▲４▼を上方へ折り曲げた▲５▼形状のものである。【０００７】本案を使用するにあたっては通常どうり  指先を取っ手部分に差し込み  上に引き上げるだけで良い。【０００８】上記のような構造をしたものを基本とする。
【図面の簡単な説明】
【０００９】
【図１】  従来の缶の断面図
【図２】  本考案の断面図
【図３】  本考案の斜視図
【符号の説明】
▲１▼  缶
▲２▼  蓋
▲３▼  開栓蓋
▲４▼  取っ手部分
▲５▼  折り曲げた部分
【図１】
0003149931.tif 000003
【図２】
0003149931.tif 000004
【図３】
0003149931.tif 000005
(57)【要約】      （修正有）【課題】着脱が容易で髪を傷つける恐れの少ない、耳に装着する髪止め具を提供する。【解決手段】鬢を押さえるための細長い板１の前端に、耳の上に挟み込むための幅を与えた折り返し部分１１と、さらにそれに続く耳に掛けるための弓形２を設ける。この構造によって、耳に装着することで髪の毛を締め付けることなく、片側の鬢のみを塞き止める髪止め具であることを特徴とする。【選択図】図１
0003149933.tif 000002
【実用新案登録請求の範囲】
【請求項１】
細長い板（１）の前端に折り返し部分（１１）とそれに続く弓形（２）を設けることで、耳の裏側に引っ掛けながら前端を耳の上に挟み込んで固定する、片側の鬢のみを塞き止める為の、樹脂または金属でできた髪止め具。
【考案の詳細な説明】
【技術分野】
【０００１】  この考案は、耳に装着することで、着脱時に髪を傷つける危険性を軽減し、着脱作業も容易にした、片側の鬢のみを塞き止める、耳掛け式髪止め具に関するものである。
【背景技術】
【０００２】  従来の髪を束ねるための髪止め具は、金属、樹脂、ゴムなどの弾性を利用して髪自体に装着し、髪の全部または一部を束ねたままの状態で保持するものであった。
【考案の開示】
【考案が解決しようとしている課題】
【０００３】  髪の長い人が、勉強や事務作業など、俯いた状態で作業をするとき、鬢や前髪が顔の前方に垂れて邪魔になるのを防ぐために、側頭部または後頭部に長い髪を束ねて保持する必要が生じる場合がある。その際、次の（ア）、（イ）、（ウ）の三つ方法で、それぞれの用途に応じた髪止め具を装着し、対応することが多かった。
（ア）ヘアピンなど、金属または樹脂でできた片側の鬢のみを束ねる髪止め具を、片側な    いし両側に装着し、邪魔になる前髪と鬢のみを束ねる方法。
（イ）カチューシャ等の頭部に巻きつける髪止め具を用い、頭部のほぼ全域にわたって髪    を固定し、一定の髪型を保持する方法。
（ウ）ゴム紐状の髪止め具を用い、髪の全部または一部を束ねて保持する方法。
【０００４】  これらには、それぞれ次のような欠点があった。
（ア）による方法は、金属または樹脂の強い弾性力で髪を挟みつるために、髪が傷を受けやすく、枝毛の原因をつくることがあった。また、髪止め具を取り去るときには、目に見えない位置で、器具の弾性に逆らう力を加えて操作することから、器具や指に絡んだ毛髪を不用意に引っ張ってしまうことで、切れ毛や抜け毛を生じることがしばしばあった。
（イ）による方法は、髪止め具の装着状態の出来不出来が髪型全体の美観に影響するため、鏡のない所での装着には不向きであった。さらに、カチューシャ等のヘアバンドは過度の装飾品として着用を禁じている学校もあり、装着可能な場面が限られている。
（ウ）による方法も、頭部の一部に地肌が露出しやすいことから、装着状態が髪型の美観に影響するため、鏡のない所での装着には不向きであった。また、上記の（ア）と同じく、ゴムに絡んだ毛髪を不用意に引っ張ってしまい、切れ毛や抜け毛を生じることがあった。
（ア）〜（ウ）に共通する欠点として、どの髪止め具においても、装着した状態から解れ髪を束ねなおす為には、一旦髪止め具を取り外し、改めて装着しなおさなければならない不便さがあった。
【０００５】  尚、（ア）〜（ウ）の方法とは別に、こうした器具を使わず、耳の外縁に前髪や鬢を掛けてとどめておく方法もよく行われるが、この方法では髪の毛を安定して保持することができないため、少しの頭の動きで、髪の毛が耳の外縁から外れ落ちるため不都合であった。
本考案は、以上のような欠点を軽減するためのものである。
【課題を解決するための手段】
【０００６】  片側の鬢のみを止める髪止め具に、耳の裏側に引っ掛ける弓形の部分と、耳の上の縁と側頭部の間に挟んでおくための幅を持った部分を設け、髪自体ではなく耳に装着する構造を与える。さらに、前方に垂れ落ちようとする鬢を塞き止めるだけで、髪の毛を強く締め付けることなく保持する構造を与える。以上を目的として、板（１）の前端に、折り返し部分（１１）を設ける。さらに折り返し部分（１１）から続く弓形（２）を設ける。本考案は、以上の構成からなる耳掛け式髪止め具である。
【考案の効果】
【０００７】  装着時するときは、弓形の下端（２２）をこめかみにあてがい、弓形（２）を鬢と地肌の間に挿入する。そして、折り返し部分（１１）を耳の上の縁と側頭部の間に挟み込みながら、弓形（２）を耳の裏側に掛ければ装着を終えることができる。取り去るときはこの逆を行えばよい。着脱共に片手で行うことができる。また、操作方法が簡単であり、髪を締め付けて固定するわけではないことから、着脱時に髪を傷つけることも少ない。装着状態の出来不出来は鏡を用いなくても手で触るだけで容易に確認できる。さらに、解れ髪があれば、それを指先で掬い取り、板（１）の後端に掛けなおすだけでよく、髪止め具を改めて装着しなおす必要がない。勉強や事務仕事などにおいて、鬢や前髪が邪魔にならないようにするためならば、この程度の固定法で十分である。
【考案を実施するための最良の形態】
【０００８】  以下、本考案を実施するための最良の形態について説明する。
まず、前髪や鬢を側頭部に押さえつけておくための細長い板（１）を設ける。そして、板（１）の前端には、折り返し部分（１１）を設ける。この折り返し部分（１１）は、耳の上の縁と側頭部の間に挟んで固定するための部分である。さらに、折り返し部分（１１）から伸びる弓形（２）を設ける。この弓形（２）は耳の後部に引っ掛けておくことで、本考案が装着された状態をより強固にするためのものである。弓形の下端（２２）は地肌を傷つけることがないように丸みを持たせておく。
本考案は以上のような構造である。
【図面の簡単な説明】
【０００９】
【図１】本考案（左耳用）の斜視図である。（破線は透視を表す）
【図２】本考案（左耳用）の背面図である。
【図３】本考案（左耳用）の正面図である。
【図４】本考案（左耳用）の左側面図である。
【図５】本考案（左耳用）の右側面図である。
【図６】本考案（左耳用、図面上側が前方）の上面図である。
【図７】本考案（左耳用、図面下側が前方）の底面図である。
【図８】本考案（左耳用）の装着時の図である。（破線は透視を表す）
【符号の説明】
【００１０】１    板
１１  折り返し部分
２    弓形
２２  弓形の下端
【図１】
0003149933.tif 000003
【図２】
0003149933.tif 000004
【図３】
0003149933.tif 000005
【図４】
0003149933.tif 000006
【図５】
0003149933.tif 000007
【図６】
0003149933.tif 000008
【図７】
0003149933.tif 000009
【図８】
0003149933.tif 000010
(57)【要約】      （修正有）【課題】体が不自由で介護が必要な人や、手術後で継続的な看護等が必要な人にも、着脱が容易で装着時の不快感が軽減される下穿きを提供する。【解決手段】腹部を引込める必要を排除するために、紐を結ぶ代わりとしてフック若しくは面ファスナーを採用する。また、紐を解かずに上げ下げできるように、腰に巻く紐の一部若しくは全部を伸縮可能な物にする。【選択図】図１
0003149921.tif 000002
【実用新案登録請求の範囲】
【請求項１】
従来のＴ字帯における陰部を隠すための布等の平面部分を、腰に装着するために取り付いている紐の一部又は全部を伸縮可能な物にし、且つ端部をフック若しくは面ファスナー等で着脱できるようにする事により、紐を解かずに上げ下げができ、紐の締め付けによる不快感を緩和するための下穿き。
【考案の詳細な説明】
【考案の詳細な説明】
【技術分野】
【０００１】  本考案は、体が不自由で介護が必要な方や、手術後で継続的な看護等が必要な方にも、着脱を容易にし装着時の不快感を軽減するための下穿きに関する。
【背景技術】
【０００２】  従来のＴ字帯では、その装着装置となる物が紐であったため、きちんと装着するためには腹部を引込める必要があった。またそれは特に手術後の方等には苦痛を伴う事でもあり、看護者にしても負担が大きかった。
【考案が解決しようとする課題】
【０００３】  体の不自由な方や手術後で看護等が必要な方が、下穿きの着脱時において感じる苦痛を少しでも軽減し、装着時においても紐の締めすぎ等による不快感を無くす事を課題とする。同時に看護者もしくは医療関係者の負担を軽減できるようにする事も課題とする。
【課題を解決するための手段】
【０００４】  そこで、従来のＴ字帯における布等の平面部に取り付ける紐の一部又は全部を伸縮可能な物とし、従来は紐を結んで装着していた部分をフックもしくは面ファスナー等にする事により着脱を容易にする。
【考案の効果】
【０００５】  このようにする事により、体の不自由な方や手術後の方でも、下穿きの着脱が容易になると共に苦痛を軽減できるようになる。また伸縮可能な部分が存在する事により、トイレ等の際にその上げ下げ時においても紐をいちいち結んだり解いたりしなくてもよくなる。さらに伸縮可能な部分の存在で、紐の締めすぎによる装着時の不快感も同時に軽減できる。
【考案を実施するための最良の形態】
【０００６】  特に腹部の外科手術後の看護が必要な方にとって、下穿きに要求される事は看護の容易さもさることながら、その着脱時における苦痛の回避である。きつくなく緩くなく装着できる事が必要十分な条件である。それを克服するためには従来のＴ字帯においては腹部を引込めて紐を結んでいた代わりに、伸縮性のある紐状物と面ファスナー等を組み合わせる事が最良の形態となる。
【図面の簡単な説明】
【０００９】
【図１】陰部を隠すための布等の平面部分を、腰に装着するために取り付いている紐の一部を伸縮可能な物にし、且つ端部を面ファスナーとした場合における、人体に装着する前の全体図である。
【符号の説明】
【００１０】１    紐を結ぶ代わりの装着具として取り付けられた面ファスナー２    腰にまわす紐３    伸縮性のある紐状物４    陰部を隠すための布等の平面部分５    ２と５を縫製して一体化させた部分
【図１】
0003149921.tif 000003
(57)【要約】      （修正有）【課題】髪に接する部分が多く、よく髪をとらえて早くしっかりとカールすることができるブラシを提供する。【解決手段】髪をカールする円柱状のハンドルの周囲に毛を植毛したブラシで長さの異なった毛を植毛することにより、平面図で見た場合ブラシの毛の先端を結んだ線がハンドルの中心線に平行な直線ではなく、突出部をもった斜線、折れ線、曲線になるようにしたことを特徴とするブラシである。【選択図】図５
0003149926.tif 000002
【実用新案登録請求の範囲】
【請求項１】
髪をカールするブラシで髪に接するブラシの先端を結んだ線がハンドルの中心軸に対し、平行でないように作られたブラシ。
【考案の詳細な説明】
【技術分野】
【０００１】本考案は髪を毛をカールするブラシに関するものである。
【背景技術】
【０００２】従来のブラシの平面図［図１］、左側面図［図２］のようにできている。
【考案の開示】
【考案が解決しようとする課題】
【０００３】従来ブラシ［図１］［図２］で、髪をカールした場合の平面図が［図３］で左側面図が［図４］のようになる。ブラシの先端が髪に接する部分はＡ−Ａ‘の長さになる。Ａ−Ａ’はブラシの中心軸Ｂ−Ｂ‘に平行にできている。髪に接する部分がＡ−Ａ’で平坦で髪に接する部分が少なく、髪の表面をブラシの先端がすべってカールがしづらい。
【課題を解決するための手段】
【０００４】本考案の平面図［図５］、左側面図［図６］である。［図５］の中心軸Ｃ−Ｃ‘である。ブラシの先端部を結んだ線がＤ−Ｄ’である。本考案で髪をカールした場合の平面図が［図７］で、左側面図が［図８］である。本考案のブラシ［図７］が髪と接する部分のＤ−Ｄ‘で、中心軸Ｃ−Ｃ’とは平行にならないようにブラシ部を設ける。
【考案の効果】
【０００５】［図５］のＤ−Ｄ‘が本考案のブラシが髪に接する部分であり、従来のブラシ［図１］の髪に接する部分Ａ−Ａ’と比べて明らかに、髪に接する部分が大きく、よく髪をカールすることができる。また従来の［図１］のブラシを比べて［図５］の本考案のブラシは、ブラシ部の長さに違いがあり、突出した部分が髪をよくとらえて、さらによく髪をカールする事ができる。［図５］のアが突出部であり、まわりのブラシ部の先より、突出している。従来の［図１］のブラシでは突出部がない。
【実施例】
【０００６】本考案にもとづいたブラシの実施例が［図９］であり、ハンドルの中心軸がＥ−Ｅ‘である。ブラシの先端部を結んだ線Ｆ−Ｆ’はＥ−Ｅ‘と平行になってはいない。また突出部イをもつ。本考案にもとづいたブラシの実施例が［図１０］である。ハンドルの中心軸の線Ｇ−Ｇ’とブラシの先端部を結んだ線Ｈ−Ｈ‘とは平行になっていない。また突出部ウ、エ、オをもつ。本考案にもとづいたブラシの実施例が［図１１］でハンドルの中心軸線がＩ−Ｉ’である、植毛部の先端を結んだ線Ｊ−Ｊ‘とは平行になっていない。また突出部カ、キ、ク、ケ、コ、サ、シ、ス、セをもつ。
【産業上の利用可能性】
【０００７】本考案［図５］［図９］［図１０］［図１１］のブラシが髪をしっかりとらえ、カールが従来のブラシ［図１］に比べて早くしっかりとできる。
【図面の簡単な説明】
【０００８】
【図１】従来のブラシの平面図。
【図２】従来のブラシの左側面図。
【図３】従来のブラシで髪をカールした平面図。
【図４】従来のブラシで髪をカールした左側面図。
【図５】本考案の平面図。
【図６】本考案の左側面図。
【図７】本考案のブラシで髪をカールした平面図。
【図８】本考案のブラシで髪をカールした左側面図。
【図９】本考案の実施例。
【図１０】本考案の実施例
【図１１】本考案の実施例
【図１】
0003149926.tif 000003
【図２】
0003149926.tif 000004
【図３】
0003149926.tif 000005
【図４】
0003149926.tif 000006
【図５】
0003149926.tif 000007
【図６】
0003149926.tif 000008
【図７】
0003149926.tif 000009
【図８】
0003149926.tif 000010
【図９】
0003149926.tif 000011
【図１０】
0003149926.tif 000012
【図１１】
0003149926.tif 000013
【手続補正書】
【提出日】平成21年1月22日(2009.1.22)
【手続補正１】
【補正対象書類名】実用新案登録請求の範囲
【補正対象項目名】全文
【補正方法】変更
【補正の内容】
【実用新案登録請求の範囲】
【請求項１】
髪をカールする円柱状のハンドルの周囲に毛を植毛したブラシで長さの異なった毛を植毛することにより、平面図で見た場合ブラシの毛の先端を結んだ線がハンドルの中心線に平行な直線ではなく、突出部をもった斜線、折れ線、曲線になるようにしたことを特徴とするブラシ